(57)【要約】      （修正有）【課題】反射防止仕様の凹凸ボードでも筆跡の着色層とはく離層を効率よく除去することのできる筆記板用消去具を提供する。【解決手段】消去面としてメラミン樹脂発泡体１と極細繊維からなる繊維成形体２を配し、同一の消去面にメラミン樹脂発泡体１と極細繊維からなる繊維成形体２を配しかつ、外側部にメラミン樹脂発泡体１を配し、メラミン樹脂発泡体１の内側に極細繊維からなる繊維成形体２を配した。【選択図】図２
2013169695.tif 000002
【特許請求の範囲】
【請求項１】
消去面としてメラミン樹脂発泡体と極細繊維からなる繊維成形体を配したことを特徴とする筆記板用消去具。
【請求項２】
同一の消去面にメラミン樹脂発泡体と極細繊維からなる繊維成形体を配しかつ、外側部にメラミン樹脂発泡体を配し、メラミン樹脂発泡体の内側に極細繊維からなる繊維成形体を配したことを特徴とする筆記板用消去具。
【請求項３】
同一の消去面にメラミン樹脂発泡体と極細繊維からなる繊維成形体を配し、繊維成形体の消去面よりメラミン樹脂発泡体の消去面を突出させたことを特徴とする筆記板用消去具。
【発明の詳細な説明】
【技術分野】
【０００１】
本発明は、黒板やホワイトボード、特に投影面としての利用を目的に表面凹凸を大きくして反射防止効果を持たせた筆記板に記載した筆跡を清掃する筆記板用消去具に関するものである。
【背景技術】
【０００２】
筆記板用消去具は、スポンジやメラミン樹脂発泡体の多孔体を使用したものや、微細繊維を使用した布やフェルトを消去面として使用することが検討されている。
【特許文献１】特開２００２−１９３８７公報。
【特許文献２】実開平２−１３０３９９号公報。
【特許文献３】特開２００８−１００６号公報。
【発明の概要】
【発明が解決しようとする課題】
【０００３】
黒板やホワイトボードに使用されるマーカーには、顔料や樹脂成分からなるインキ剤と透明油状成分の剥離剤とが含まれている。筆記した際、筆跡の表面に顔料や樹脂成分からなるインキ剤によって着色層が形成され、板面側には板面から着色層が剥離しやすくなる剥離剤によってはく離層が形成される。この筆跡を消去する際に使用される筆記板用消去具はスポンジやメラミン樹脂発泡体などの多孔体を使用したものや、微細繊維を使用した布やフェルト状のものが考案されている。
しかし、特許文献１のメラミン樹脂発泡体は筆跡を消去する際きれいに消えているように見えるが、実際には筆跡表層の着色層のみの除去であり、筆跡下層のはく離層は盤面に残ってしまう。残ったはく離層は板面を見る角度によって文字が残っているように見えたり、再度筆記する際には、はく離層の残った部分だけ筆跡が薄くなったりインキをはじいてしまうという問題になる。
【０００４】
また、特許文献２及び３には、極細繊維を使用して文字跡やはく離層を除去する消去具が記されている。極細繊維を使用した布やフェルトはその目が細かいことで、はく離層を形成する油状成分を除去する機能を発揮するが、実際に筆跡を消去する時には、まず、着色層の除去が必要であり、極細繊維の消去具では、はく離層の除去能力を発揮する前に顔料成分や樹脂成分からなる着色層の消しカスが布やフェルトの目に詰まってしまう為、はく離層が効率よく除去できず、また目詰まりのため繰り返しの消去性にも問題がある。
【０００５】
更に近年、プロジェクター等の映像を映す投影面としてホワイトボードを使用する機会が増え、ホワイトボードに反射防止効果を付与するために板面に微細な凹凸を付けたものが多くなっている。この微細な凹凸のある板面に筆記した筆跡は凹部に着色層やはく離層が溜まりやすく、従来のスポンジやメラミン樹脂発泡体の多孔体を使用したものや、微細繊維を使用した布やフェルトの消去具では十分な消去ができず、逆に凹部に消しカスを押し込んで板面を汚してしまうこともあった。
【０００６】
本発明の目的は、上記問題を鑑み、従来の黒板やホワイトボードはもとより、反射防止仕様の凹凸ボードでも筆跡の着色層とはく離層を効率よく除去することのできる筆記板用消去具を提供することを課題とするものである。
【課題を解決するための手段】
【０００７】
本発明は、消去面としてメラミン樹脂発泡体と極細繊維からなる繊維成形体を配したことを特徴とする筆記板用消去具を第１の要旨とし、同一の消去面にメラミン樹脂発泡体と極細繊維からなる繊維成形体を配しかつ、外側部にメラミン樹脂発泡体を配し、メラミン樹脂発泡体の内側に極細繊維からなる繊維成形体を配したことを特徴とする筆記板用消去具を第２の要旨とし、同一の消去面にメラミン樹脂発泡体と極細繊維からなる繊維成形体を配し、繊維成形体の面よりメラミン樹脂発泡体の面を突出させたことを特徴とする筆記板用消去具を第３の要旨とするものである。
【発明の効果】
【０００８】
本発明は、従来の黒板、ホワイトボードや反射防止仕様の凹凸ボードの筆跡に対して、着色層の除去にメラミン樹脂発泡体を用い、はく離層の除去に極細繊維からなる繊維成形体を用いることにより、消去性に優れかつ反復使用に耐える筆記板用消去具となっている。詳細にはメラミン樹脂発泡体の「骨格が細くて硬いが発泡体で軟らかい」という特性から着色層の破壊、かき取り並びに消しカスの発泡空間への集塵機能が得られ、着色層の除去後に極細繊維からなる繊維成形体を用いることで、はく離層を「繊維内や繊維間に設けられた微細空隙」に発生する毛管現象によって吸収し、板面から完全に筆跡を除去することが可能となっている。着色層の破壊、かき取りはメラミン樹脂発泡体の角の部分が当たると除去機能が最も良いことから、メラミン樹脂発泡体の表面に切り込みや凹凸を形成することで、角が増え除去機能が向上するとともに、着色層の消しカスを切り込み部や凹部に貯めることが可能となり集塵性を向上させることができる。さらに、コロイド処理等で表面に微細凹凸構造を構築することで、着色層の破壊、かき取り性の向上に加え、消去時の摩擦で静電気が発生しやすくなり、帯電効果により集塵機能を高めることができる。また、多孔質粉体や、吸油性の物質を併用することで集塵機能、はく離層除去機能の向上、及び、繰り返し消去性の向上にもつながる。
【図面の簡単な説明】
【０００９】
【図１】本発明を使用した実施例１の外観図である。
【図２】図１の短辺側断面図である。
【図３】本発明を使用した実施例２の外観図である。
【図４】図３の短辺側断面図である。
【図５】本発明を使用した実施例３の外観図である。
【図６】図５の短辺側断面図である。
【図７】本発明を使用した実施例４の外観図である。
【図８】図７の短辺側断面図である。
【発明を実施するための形態】
【００１０】
黒板、ホワイトボードや反射防止仕様の凹凸ボードの筆跡に対して、着色層の除去にメラミン樹脂発泡体（１）、はく離層の除去に極細繊維からなる繊維成形体（２）を使用できる筆記板用消去具であればよい。メラミン樹脂発泡体と極細繊維からなる繊維成形体を表、裏の関係に配したり、メラミン樹脂発泡体を外装（３）に嵌め、その外装の側面に繊維成形体を配したりして、筆跡の着色層をメラミン樹脂発泡体側で除去した後、繊維成形体側に持ち替えて消去するとはく離層を確実に除去することができる。また、メラミン樹脂発泡体と極細繊維からなる繊維成形体を同一消去面に配する場合には、消去時に筆跡にメラミン樹脂発泡体が先に接触するように、極細繊維からなる繊維成形体の外側にメラミン樹脂発泡体を配する必要がある。一般的な筆記板用消去具の消去面は略長方形であり、消去動作ではほとんどの場合、長辺側が筆跡に先に接触することとなる為、消去面の両長辺に沿ってメラミン樹脂発泡体を配し、中央部に繊維成形体を配することになる。メラミン樹脂発泡体と極細繊維からなる繊維成形体を同一消去面に配する際、メラミン樹脂発泡体の面を高く（板面に近くなる様に）し、繊維成形体の面をメラミン樹脂発泡体の面より低く（板面から遠くなる様に）すると、軽い力の消去ではメラミン樹脂発泡体だけが板面に接触するため着色層が除去でき、その後、押し付ける力を強めることでメラミン樹脂発泡体が圧縮されると極細繊維からなる繊維成形体が板面に接触するため、はく離層を除去できる。この時、メラミン樹脂発泡体と繊維成形体の配置は、消去面の両長辺に沿ってメラミン樹脂発泡体を配し、中央部に繊維成形体を配したり、中央部にメラミン樹脂発泡体を配し、その外周に繊維成形体を配したり、メラミン樹脂発泡体と繊維成形体を市松模様のように交互に配したり、障子の様に紙の部分にメラミン樹脂発泡体を配し、桟の部分に繊維成形体を配したりすることも可能である。メラミン樹脂発泡体と極細繊維からなる繊維成形体を同一消去面に高さを変えて配する際、これらを交互に配することで筆跡の真上から筆記板用消去具を当てた場合でも、メラミン樹脂発泡体と繊維成形体はそれぞれの機能を発揮することができる。
【００１１】
メラミン樹脂発泡体（１）はメラミンフォーム、メラミンスポンジなどと言われるメラミンとホルムアルデヒドとの重縮合により製造される熱硬化性樹脂を原料にした連続気孔をもつ発泡体であり、緩衝材やクリーナーとして広く使用されている。
【００１２】
着色層の除去機能を向上させるため、メラミン樹脂発泡体の消去面に切り込みや凹凸をつけてもよい。切り込みや凹凸の高さや方向は筆記板用消去具の大きさや使用時の消去動作の方向を考慮して決めればよいが、切り込みや凹凸の間隔が小さすぎるとメラミン樹脂発泡体の強度が低下し、十分な除去機能を発揮できない恐れがあるため、板面に押し付けた際に切り込みや凸部の角が板面に接触した状態で消去動作できることが望ましい。メラミン樹脂発泡体の角が板面に接した状態で移動すると、エッジでのかき取りが有効に機能し、また、凹凸のある板面に対しても凹部にメラミン樹脂発泡体の角が入り込むので着色層が除去可能となる。更に消しカスを切り込み部や凹部に貯めることが可能となり集塵機能を向上させることができる
【００１３】
極細繊維はマイクロファイバーとも言われるミクロン単位（１／１０００ｍｍ）の細い繊維である。ポリエステル、ナイロン、レーヨン等からなる合成繊維であり、複合材料のものもある。極細繊維は織物、編物、不織布等に加工され、人工皮革、薄起毛製品、ワイピングクロス（眼鏡拭き）等に使用されている。極細繊維を織物、編物、不織布等に加工し、筆記板用消去具として使用できる状態にしたものが繊維成形体（２）である。また、あぶらとり紙などに使用される和紙の様に天然繊維を用いた繊維成形体であっても、「繊維内や繊維間に設けられた微細空隙」に発生する毛管現象によって吸収する能力を発揮できるものであればよい。
【００１４】
繊維成形体は、はく離層の除去のため板面に密着する必要があることから、繊維成形体そのものに厚みを持たせ弾力を発揮させる、もしくは繊維成形体を弾性のあるスポンジや微細な凹凸のある弾性体等に貼り付け繊維成形体の表面に弾力がある状態で使用することが望ましい。黒板、ホワイトボードの表面凹凸はＪＩＳ  Ｓ６００７：２０１０に表面粗さが規定（基準長さ２．５ｍｍにおいて研ぎ出し１４μｍ以下，ほうろう１９μｍ以下，鋼製の焼付け１６μｍ以下）されており、繊維成形体や繊維成形体表面の弾力はこれらの凹凸に追従できる弾力であればよい。弾力が大きすぎると押し付ける力が効率よく伝わらないという問題となるが、弾力が小さすぎると凹部に入った筆跡が除去できないという筆記板用消去具として致命的な問題となるため、繊維成形体や繊維成形体表面の弾力は表面粗さの凹部に到達する程度であることが望ましい。ＪＩＳ  Ｓ６００７：２０１０の表面粗さの最大が基準長さ２．５ｍｍにおいて１９μｍであることから、基準長さ２．５ｍｍにおいて２０μｍ以上変形できる弾力がよい。
【００１５】
メラミン樹脂発泡体と繊維成形体の面積の比率としては、メラミン樹脂発泡体が繊維成形体よりも大であることが望ましい。これは、メラミン樹脂発泡体の除去対象の着色層は顔料成分、樹脂成分などが多いことから、はく離層より厚く、消しカスも多くなるため広い面積である必要がある。一方、繊維成形体の除去対象のはく離層は薄い油膜であり、少なくともメラミン樹脂発泡体と同面積であれば、問題なく除去できる。繊維成形体の吸油能力が高い場合には繊維成形体の面積を縮小させることが可能になるが、板面への密着性や操作性を考慮すると、メラミン樹脂発泡体の３０〜６０％の面積があるとよい。
【００１６】
メラミン樹脂発泡体や繊維形成体の表面にコロイダルシリカ、コロイダルアルミナといったコロイド粒子や、活性炭、中空シリカといった吸油、吸着機能を持つ微粒子を配してもよい。微細表面凹凸付与、電気的特性の変質や親和力付与に使用されるコロイド粒子がメラミン樹脂発泡体や繊維形成体の表面にあることで、微細表面凹凸による着色層の細かな破壊、かき取り性の向上、電気的特性の変質で静電気発生や親和力付与による集塵性向上等の効果が得られる。コロイド粒子の処理はコロイド粒子溶液にメラミン樹脂発泡体や繊維形成体を浸漬した後、乾燥させるだけで完了するため容易に機能を付与することができる。
【００１７】
メラミン樹脂発泡体（１）や、極細繊維からなる繊維成形体（２）を固定する外装（３）があってもよい。メラミン樹脂発泡体や繊維成形体だけでは、全体が軟らかいので板面に押し当てた際、変形してしまい、腰のない状態で消去しにくいが、外装があることでメラミン樹脂発泡体や繊維成形体を板面に対して均一に当接させることができ、余計な圧縮や変形もないことから効率よく筆跡を消去することができる。外装の表面に溝を形成して指にかかりやすい形状にしたり、手の平が当たる部分に湾曲面を形成して板面に押し付けやすい形状にしたりすることで、持ちやすく、消しやすい筆記板用消去具とすることも可能である。外装の材料はポリエチレン、ポリプロピレン、アクリロニトリルスチレンブタジエンなどの合成樹脂や木材、金属、石材など、外装を形成できればよいが、筆記板用消去具としては軽量であることが望ましく、合成樹脂や木材が適している。外装にはメラミン樹脂発泡体（１）や極細繊維からなる繊維成形体（２）を取り付け固定するための突起部や、粘着テープで貼り付ける部分を設けてもよい。メラミン樹脂発泡体（１）や極細繊維からなる繊維成形体（２）は汚れがひどくなって際には交換する必要があるため、圧入など取り付け、取り外しがしやすい固定方法がよい。また、帯電効果による集塵を発揮させるためには、消去動作時に発生する静電気を蓄えることに適した導電性の低い合成樹脂や木材が適している。更に消去面に付着した消しカスを取り除く際には、導電性の高い金属等に接触させ静電気による付着力を低下させた後、振動・衝撃を加えると消しカスが落下しやすくなる。
【００１８】
（実施例１）
図１は、本発明の筆記板用消去具実施例１の外観図である。図２は図１のＡ−Ａ断面図である。メラミン樹脂発泡体（１）は直方体であり、ポリエチレンで成形された外装（３）に圧入で嵌め込まれている。外装（３）の側面にはポリエステルの極細繊維からなる繊維成形体（２）が貼り付けてある。前記メラミン樹脂発砲体（１）の表面積は、繊維成形体（２）の表面積に対して、２倍以上とかなり大きい。
メラミン樹脂発泡体の除去対象の着色層は顔料成分、樹脂成分等が多いことから、はく離層より厚く、消しカスも多くなるため広い面積である必要がある。一方、繊維成形体の除去対象のはく離層は薄い油膜であり、メラミン樹脂発泡体の２分の一程度の面積であれば、問題なく除去できる。
【００１９】
（実施例２）
図３は、本発明の筆記板用消去具実施例２の外観図である。図４は図３のＢ−Ｂ断面図である。メラミン樹脂発泡体（１）は直方体であり、ポリエチレンで成形された外装（３）に圧入で嵌め込まれている。ナイロンの極細繊維からなる繊維成形体（２）はポリエチレンで成形された基材（４）に貼り付けてあり、基材（４）は外装（３）に圧入で嵌め込まれている。実施例２では一つの繊維成形体（２）が二つのメラミン樹脂発泡体（１）に挟まれているが、メラミン樹脂発泡体（１）が最外側に配してあればよく、その間はメラミン樹脂発泡体（１）と繊維成形体（２）を交互に複数個配してもよい。本例においても、前記メラミン樹脂発砲体（１）の表面積は、繊維成形体（２）の表面積に対して、２倍とかなり大きい。
【００２０】
（実施例３）
図５は、本発明の筆記板用消去具実施例３の外観図である。図６は図５のＣ−Ｃ断面図である。メラミン樹脂発泡体（１）は直方体であり、ポリエチレンで成形された外装（３）に圧入で嵌め込まれている。ポリエステルとナイロンの極細繊維からなる繊維成形体（２）はポリエチレンで成形された基材（４）に貼り付けてあり、基材（４）は外装（３）に圧入で嵌め込まれている。メラミン樹脂発泡体（１）の消去面は繊維成形体（２）の消去面より突出している。実施例３では一つの繊維成形体（２）が二つのメラミン樹脂発泡体（１）に挟まれているが、メラミン樹脂発泡体（１）の消去面が繊維成形体（２）の消去面より突出していればよく、メラミン樹脂発泡体（１）と繊維成形体（２）を交互に複数個配してもよい。
【００２１】
（実施例４）
図７は、本発明の筆記板用消去具実施例４の外観図である。図８は図７のＤ−Ｄ断面図である。メラミン樹脂発泡体（１）は直方体であり、ポリエチレンで成形された外装（３）に圧入で嵌め込まれている。ポリエステルとナイロンの極細繊維からなる繊維成形体（２）はポリエチレンで成形された基材（４）に貼り付けてあり、基材（４）は外装（３）に圧入で嵌め込まれている。メラミン樹脂発泡体（１）の消去面は繊維成形体（２）の消去面より突出している。更にメラミン樹脂発泡体（１）の消去面には長辺方向に溝（５）が形成してあり、消去面に角が多くなっている。実施例４では一つの繊維成形体（２）が二つのメラミン樹脂発泡体（１）に挟まれているが、メラミン樹脂発泡体（１）の消去面が繊維成形体（２）の消去面より突出していればよく、メラミン樹脂発泡体（１）と繊維成形体（２）を交互に複数個配してもよい。
【００２２】
（実施例５）
図５は、本発明の筆記板用消去具実施例３の外観図である。図６は図５のＣ−Ｃ断面図である。メラミン樹脂発泡体（１）は直方体であり、ポリエチレンで成形された外装（３）に圧入で嵌め込まれている。ポリエステルとナイロンの極細繊維からなる繊維成形体（２）はポリエチレンで成形された基材（４）に貼り付けてあり、基材（４）は外装（３）に圧入で嵌め込まれている。メラミン樹脂発泡体（１）の消去面は繊維成形体（２）の消去面より突出している。メラミン樹脂発泡体はコロイダルシリカ（スノーテックスＺＬ、日産化学工業（株））で表面処理を施した。実施例５では一つの繊維成形体（２）が二つのメラミン樹脂発泡体（１）に挟まれているが、メラミン樹脂発泡体（１）の消去面が繊維成形体（２）の消去面より突出していればよく、メラミン樹脂発泡体（１）と繊維成形体（２）を交互に複数個配してもよい。
【００２３】
（実施例６）
図７は、本発明の筆記板用消去具実施例４の外観図である。図８は図７のＤ−Ｄ断面図である。メラミン樹脂発泡体（１）は直方体であり、ポリエチレンで成形された外装（３）に圧入で嵌め込まれている。ポリエステルとナイロンの極細繊維からなる繊維成形体（２）はポリエチレンで成形された基材（４）に貼り付けてあり、基材（４）は外装（３）に圧入で嵌め込まれている。メラミン樹脂発泡体（１）の消去面は繊維成形体（２）の消去面より突出している。更にメラミン樹脂発泡体（１）の消去面には長辺方向に溝（５）が形成してあり、消去面に角が多くなっている。メラミン樹脂発泡体はコロイダルシリカ（スノーテックスＺＬ、日産化学工業（株））で表面処理を施した。実施例６では一つの繊維成形体（２）が二つのメラミン樹脂発泡体（１）に挟まれているが、メラミン樹脂発泡体（１）の消去面が繊維成形体（２）の消去面より突出していればよく、メラミン樹脂発泡体（１）と繊維成形体（２）を交互に複数個配してもよい。
【００２４】
（比較例１）
筆記板用消去具としてメラミン樹脂発泡体（１）の直方体を用いた。
【００２５】
（比較例２）
筆記板用消去具としてポリエステルとナイロンの極細繊維からなる繊維成形体（２）を用いた。
【００２６】
実施例及び比較例の筆記板用消去具の性能を評価した。その評価結果を表１に示す。
（消去性）
凹凸のあるホワイトボード（映るんボード、（株）青井黒板製作所）にホワイトボードマーカーで長さ１０ｃｍの直線を引き、筆跡を十分乾燥させた。各筆記板用消去具を用いて、余白部から消去を初め、筆跡部分を完全に通過した後、筆跡の残り具合を目視で確認し以下の基準で評価した。
◎：着色層が除去され、角度を変えて見てもはく離層も除去され、ホワイトボードに消しカスの付着が少ない。
○：着色層が除去され、角度を変えて見てもはく離層も除去されている。
△：着色層は除去されているが、角度を変えて見るとはく離層が残っている。
×：着色層が残っている。
（反復使用性）
凹凸のあるホワイトボード（映るんボード、（株）青井黒板製作所）にホワイトボードマーカーで長さ１０ｃｍの直線を引き、筆跡を十分乾燥させた。各筆記板用消去具を用いて、余白部から消去を初め、筆跡部分を完全に通過させる消去動作を２０回繰り返した後、２０回目の筆跡の残り具合を目視で確認し上記の基準で評価した。
（操作性）
凹凸のあるホワイトボード（映るんボード、（株）青井黒板製作所）にホワイトボードマーカーで長さ１０ｃｍの直線を引き、筆跡を十分乾燥させた。各筆記板用消去具を用いて任意の方向で消去を行い、消去完了までの動作を観察し、以下の基準で評価した。
○：消去完了まで持ち替えなく、１回の消去動作。
△：消去完了まで持ち替えがあった、もしくは消去残りを消すため２回以上の消去動作。
【００２７】
【表１】
2013169695.tif 000003
【００２８】
（消去性）
実施例１〜４はメラミン樹脂発泡体と極細繊維からなる繊維成形体のそれぞれの機能によってホワイトボード上の筆跡は着色層、はく離層共に除去できている。更に実施例５、６ではメラミン樹脂発泡体に処理したコロイダルシリカによる微細凹凸によって着色層が細かく破壊されているため、消しカスの発生が少ない。比較例１ではメラミン樹脂発泡体による着色層の除去はできているが、はく離層が残ってしまっている。比較例２では着色層、はく離層共に除去できているが、繊維成形体の目詰まりによってホワイトボード上に消しカスが多くなっている。
（反復使用性）
実施例１はメラミン樹脂発泡体と極細繊維からなる繊維成形体が別の場所に設置されているため、繊維成形体の目詰まりが発生しにくく繰り返しの使用でも十分消去性が維持されている。実施例２はメラミン樹脂発泡体と極細繊維からなる繊維成形体が同一面に並んでいるため、メラミン樹脂発泡体で保持しきれない消しカスが繊維成形体にまわってきてしまい、繰り返し使用するとはく離層が残ってしまった。実施例３、５はメラミン樹脂発泡体と極細繊維からなる繊維成形体が同一面にあるが板面に対する高さが異なるためそれぞれの機能によってホワイトボード上の筆跡は着色層、はく離層共に除去できている。更に実施例４、６ではメラミン樹脂発泡体に設けた溝部分に消しカスが貯まる効果で消しカスも少ない。比較例１ではメラミン樹脂発泡体による着色層の除去はできているが、はく離層が残ってしまっている。比較例２では初期は着色層、はく離層共に除去できているが、繰り返しの使用によって繊維成形体が目詰まりしてホワイトボード上に消しカスが多くなり、最終的には着色層も残ってしまった。
（操作性）
実施例１はメラミン樹脂発泡体と極細繊維からなる繊維成形体が別の場所に設置されているため、消去するために筆記板用消去具を持ち替える必要がある。実施例２〜６は同一面にメラミン樹脂発泡体と繊維成形体があるため持ち替えの必要はなく、外装があるため筆跡に均一に当たるので消去性もいいことから消し残りがなく、動作回数も少ない。比較例１、２はメラミン樹脂発泡体や極細繊維からなる繊維成形体のみで全体が軟らかいことから消去時に変形してしまい、筆跡に均一に当たらないため消し残りがあり、動作回数が多い。
【産業上の利用可能性】
【００２９】
本発明は、黒板、ホワイトボードや反射防止仕様の凹凸ボードの筆記板用消去具であるが、板面には寄らずガラス面、金属面等に消去性のマーカーで書かれた筆跡であれば消去することができ、また筆跡ではなく板面に付着した汚れ等の除去用清掃用具としても使用できる。
【符号の説明】
【００３０】
１  メラミン樹脂発泡
２  極細繊維からなる繊維成形体
３  外装
４  基材
５  溝
【図１】
2013169695.tif 000004
【図２】
2013169695.tif 000005
【図３】
2013169695.tif 000006
【図４】
2013169695.tif 000007
【図５】
2013169695.tif 000008
【図６】
2013169695.tif 000009
【図７】
2013169695.tif 000010
【図８】
2013169695.tif 000011